(57)【特許請求の範囲】
【請求項１】
走査電極および維持電極とデータ電極との交差部に放電セルを形成したプラズマディスプレイパネルの駆動方法であって、
前記走査電極に走査パルスを順次印加するとともに前記データ電極に選択的に書込みパルスを印加して前記放電セルに選択的に書込み放電を発生させる書込み期間と、前記書込み期間において選択的に書込み放電を発生させた放電セルを発光させるための維持放電を発生させる維持期間とをそれぞれ有する複数のサブフィールドで１フィールド期間を構成し、１フィールド期間に連続する２以上のサブフィールドから構成されたサブフィールド群を少なくとも１つ設けるとともに、前記サブフィールド群においては、いずれかのサブフィールドの書込み期間において書込み放電を発生させなかった放電セルはそのサブフィールドから最後のサブフィールドまでの書込み期間において書込み放電を発生させないように構成し、
かつ前記サブフィールド群に属さないサブフィールドの書込み期間においては、それぞれの走査パルスの一部が他の走査パルスの一部と時間的に重ならないように構成するとともに、
前記サブフィールド群に属するサブフィールドの書込み期間においては、それぞれの走査パルスの一部が他の走査パルスの一部と時間的に重なるように構成したことを特徴とするプラズマディスプレイパネルの駆動方法。
【請求項２】
前記サブフィールド群に属さないサブフィールドのうち前記サブフィールド群に続くサブフィールドは、画像を表示する全ての放電セルで初期化放電を発生させる初期化期間をさらに備えたことを特徴とする請求項１に記載のプラズマディスプレイパネルの駆動方法。
【発明の詳細な説明】
【技術分野】
【０００１】
本発明は、プラズマディスプレイパネルの駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極が前面ガラス基板上に互いに平行に複数対形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極とデータ電極とが立体交差するように前面板と背面板とが対向配置されて密封され、内部の放電空間には放電ガスが封入されている。ここで表示電極とデータ電極とが対向する部分に放電セルが形成される。このような構成のパネルにおいて、各放電セル内でガス放電により紫外線を発生させ、この紫外線で赤、緑、青各色の蛍光体を励起発光させてカラー表示を行っている。
【０００３】
パネルを駆動する方法としてはサブフィールド法が用いられている。これは、１フィールド期間を複数のサブフィールドに分割し、それぞれのサブフィールドで各放電セルを発光、非発光制御することにより階調表示を行う方法である。サブフィールドのそれぞれは書込み期間および維持期間を有し、必要に応じて初期化期間を有する。初期化期間では、放電セルで初期化放電を行い、続く書込み動作のために必要な壁電荷を形成する。書込み期間では、走査電極に順次走査パルスを印加するとともにデータ電極には入力画像信号に対応した書込みパルスを印加し、走査電極とデータ電極との間および走査電極と維持電極との間で選択的に書込み放電を発生させ壁電荷形成を行う。続く維持期間では、表示すべき輝度に応じた回数の維持パルスを走査電極と維持電極との間に印加し、書込み放電による壁電荷形成を行った放電セルを選択的に放電させ発光させる。なお、サブフィールド毎の表示すべき輝度の比率を、以下「輝度重み」と呼ぶ。
【０００４】
サブフィールド法の中でも、階調表現に関係しない初期化期間における発光を減らしてコントラスト比を向上した新規な駆動方法が特許文献１に開示されている。具体的には、例えば複数のサブフィールドのうち、１つのサブフィールドの初期化期間において全ての放電セルを放電させる全セル初期化動作を行い、他のサブフィールドの初期化期間においては維持放電を行った放電セルのみ初期化する選択初期化動作を行う。その結果、表示に関係のない発光は全セル初期化動作の放電に伴う発光のみとなりコントラストの高い画像表示が可能となる。
【０００５】
また、サブフィールド法の中で、１フィールドを構成するＮ個のサブフィールドの中の連続するＭ個（２≦Ｍ≦Ｎ）のサブフィールドをサブフィールド群とし、そのサブフィールド群においては、各放電セルに対して発光させるべきサブフィールドが連続するように制御する新規なパネルの駆動方法が、例えば特許文献２に記載されている。この駆動方法によれば、表示画像の階調変化に伴う発光パターンの変化が比較的少なくできるので擬似輪郭が抑えられるという利点がある。
【特許文献１】特開２０００−２４２２２４号公報
【特許文献２】特開２００３−７６３２２号公報
【発明の開示】
【発明が解決しようとする課題】
【０００６】
しかしながら、各放電セルに対して発光させるべきサブフィールドが連続するように制御すると表示できる階調数が少なくなる。そのため実用上はサブフィールド数を増やして表示できる階調を増やすことになる。そして、サブフィールド数を十分に増やすためには、駆動に必要な時間を確保するために、書込み時間を短縮する必要があった。
【０００７】
本発明はこれらの課題に鑑みなされたものであり、画像表示品質を低下させることなく書込み時間を短縮し、擬似輪郭の発生し難い画像表示を可能とするパネルの駆動方法を提供することを目的とする。
【課題を解決するための手段】
【０００８】
本発明は、走査電極および維持電極とデータ電極との交差部に放電セルを形成したパネルの駆動方法であって、走査電極に走査パルスを順次印加するとともにデータ電極に選択的に書込みパルスを印加して放電セルに選択的に書込み放電を発生させる書込み期間と、書込み期間において選択的に書込み放電を発生させた放電セルを発光させるための維持放電を発生させる維持期間とをそれぞれ有する複数のサブフィールドで１フィールド期間を構成し、１フィールド期間に連続する２以上のサブフィールドから構成されたサブフィールド群を少なくとも１つ設けるとともに、サブフィールド群においては、いずれかのサブフィールドの書込み期間において書込み放電を発生させなかった放電セルはそのサブフィールドから最後のサブフィールドまでの書込み期間において書込み放電を発生させないように構成し、かつサブフィールド群に属さないサブフィールドの書込み期間においてはそれぞれの走査パルスの一部が他の走査パルスの一部と時間的に重ならないように構成するとともに、サブフィールド群に属するサブフィールドの書込み期間においてはそれぞれの走査パルスの一部が他の走査パルスの一部と時間的に重なるように構成したことを特徴とする。この方法により、画像表示品質を低下させることなく書込み時間を短縮し、擬似輪郭の発生し難い画像表示を可能とするパネルの駆動方法を提供することができる。
【０００９】
また本発明は、サブフィールド群に属さないサブフィールドのうちサブフィールド群に続くサブフィールドは、画像を表示する全ての放電セルで初期化放電を発生させる初期化期間をさらに備えることが望ましい。この方法により、書込み時のクロストークを抑制することができる。
【発明の効果】
【００１０】
本発明によれば、画像表示品質を低下させることなく書込み時間を短縮し、擬似輪郭の発生し難い画像表示を可能とするパネルの駆動方法を提供することが可能となる。
【発明を実施するための最良の形態】
【００１１】
以下、本発明の実施の形態におけるパネルの駆動方法について、図面を用いて説明する。
【００１２】
（実施の形態）
図１は本発明の実施の形態に用いるパネルの要部を示す分解斜視図である。パネル１０は、ガラス製の前面基板２１と背面基板３１とを対向配置して、その間に放電空間を形成するように構成されている。前面基板２１上には表示電極を構成する走査電極２２と維持電極２３とが互いに平行に対をなして複数形成されている。そして、走査電極２２および維持電極２３を覆うように誘電体層２４が形成され、誘電体層２４上には保護層２５が形成されている。また、背面基板３１上には絶縁体層３３で覆われた複数のデータ電極３２が設けられ、絶縁体層３３上に井桁状の隔壁３４が設けられている。また、絶縁体層３３の表面および隔壁３４の側面に蛍光体層３５が設けられている。そして、走査電極２２および維持電極２３とデータ電極３２とが交差するように前面基板２１と背面基板３１とが対向配置されており、その間に形成される放電空間には、放電ガスとして、例えばネオンとキセノンの混合ガスが封入されている。なお、パネルの構造は上述したものに限られるわけではなく、例えばストライプ状の隔壁を備えたものであってもよい。
【００１３】
図２は本発明の実施の形態におけるパネルの電極配列図である。行方向にｎ本の走査電極ＳＣ１〜ＳＣｎ（図１の走査電極２２）およびｎ本の維持電極ＳＵ１〜ＳＵｎ（図１の維持電極２３）が配列され、列方向にｍ本のデータ電極Ｄ１〜Ｄｍ（図１のデータ電極３２）が配列されている。そして、１対の走査電極ＳＣｉおよび維持電極ＳＵｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。
【００１４】
図３は本発明の実施の形態におけるパネルの駆動方法を実施するプラズマディスプレイ装置の回路ブロック図である。このプラズマディスプレイ装置は、パネル１０、画像信号処理回路５１、データ電極駆動回路５２、走査電極駆動回路５３、維持電極駆動回路５４、タイミング発生回路５５および電源回路（図示せず）を備えている。画像信号処理回路５１は画像信号ｓｉｇをパネル１０の画素数に応じた画像データに変換し、各画素の画像データを複数のサブフィールドに対応する複数のビットに分割しデータ電極駆動回路５２に出力する。データ電極駆動回路５２はサブフィールド毎の画像データを各データ電極Ｄ１〜Ｄｍに対応する信号に変換し各データ電極Ｄ１〜Ｄｍを駆動する。タイミング発生回路５５は水平同期信号Ｈおよび垂直同期信号Ｖをもとにしてタイミング信号を発生し、各々の駆動回路ブロックへ供給する。走査電極駆動回路５３はタイミング信号に基づいて走査電極ＳＣ１〜ＳＣｎに駆動波形を供給し、維持電極駆動回路５４はタイミング信号に基づいて維持電極ＳＵ１〜ＳＵｎに駆動波形を供給する。
【００１５】
次に、パネルを駆動するための駆動電圧波形とその動作について説明する。本実施の形態においては、１フィールドを１２のサブフィールド（第１ＳＦ、第２ＳＦ、・・・、第１２ＳＦ）に分割し、第１ＳＦの初期化期間では全セル初期化動作を行い、それ以外のサブフィールドの初期化期間では選択初期化動作を行うことでコントラストを向上させている。そして、第１ＳＦ〜第５ＳＦの輝度重みはそれぞれ「１」、「２」、「４」、「８」、「１６」に設定されており、第６ＳＦ〜第１２ＳＦの輝度重みはいずれも「３２」に設定されている。
【００１６】
図４は本発明の実施の形態において、ある階調を表示するために、どのサブフィールドで放電セルを発光させるかを示す関係（以下、「コーディング」と略記する）を示す図である。第１ＳＦ〜第５ＳＦの各サブフィールドにおいては各放電セルをサブフィールド毎にランダムに発光、あるいは非発光となるように制御することにより「１」〜「３１」の各階調を表示している。一方、第６ＳＦ〜第１２ＳＦは連続して放電セルを発光させるように制御するサブフィールド群を構成し、このサブフィールド群においては、一旦非発光となるように制御された放電セルはその後、サブフィールド群の最後のサブフィールドまで連続して発光させないように制御している。すなわち、このサブフィールド群に属するいずれかのサブフィールドの書込み期間において書込み放電を発生させなかった放電セルはそのサブフィールドからサブフィールド群に属する最後のサブフィールドまでの書込み期間においても書込み放電を発生させない。例えば第６ＳＦで発光させなかった放電セルはそれ以降の第７ＳＦ〜第１２ＳＦでも発光させず、第６ＳＦ〜第９ＳＦまでを発光させ第１０ＳＦで発光させなかった放電セルは、第１１ＳＦおよび第１２ＳＦでも発光させない。このように第６ＳＦ〜第１２ＳＦにおいて一旦非発光となるように制御された放電セルをサブフィールド群の最後のサブフィールドまで連続して発光させないように制御することにより「０」、「３２」、「６４」、「９６」、「１２８」、「１６０」、「１９２」、「２２４」の各階調を表示することができる。
【００１７】
そして、第１ＳＦ〜第５ＳＦを用いて表示する階調と第６ＳＦ〜第１２ＳＦを用いて表示する階調とを組み合わせることにより「０」〜「２５５」の任意の階調を表示することができる。
【００１８】
なお、本発明においてはサブフィールドの構成およびコーディングが上記のみに限定されるものではなく、一旦非発光となるように制御された放電セルがサブフィールド群の最後のサブフィールドまで連続して発光させないように制御するサブフィールド群を有するサブフィールド構成であれば本発明を適用することができる。
【００１９】
図５は本発明の実施の形態におけるパネルの各電極に印加する駆動電圧波形を示す図である。まず第１ＳＦ〜第５ＳＦにおける駆動電圧波形について説明する。
【００２０】
第１ＳＦの初期化期間では、まずその前半部において、データ電極Ｄ１〜Ｄｍおよび維持電極ＳＵ１〜ＳＵｎを０Ｖに保持し、走査電極ＳＣ１〜ＳＣｎに対して放電開始電圧以下となる電圧Ｖｉ１から放電開始電圧を超える電圧Ｖｉ２に向かって緩やかに上昇するランプ電圧を印加する。すると、全ての放電セルにおいて微弱な初期化放電を起こし、走査電極ＳＣ１〜ＳＣｎ上に負の壁電圧が蓄積され、維持電極ＳＵ１〜ＳＵｎおよびデータ電極Ｄ１〜Ｄｍ上に正の壁電圧が蓄積される。ここで、電極上の壁電圧とは電極を覆う誘電体層上や蛍光体層上等に蓄積した壁電荷により生じる電圧を指す。
【００２１】
続く初期化期間の後半部において、維持電極ＳＵ１〜ＳＵｎを正の電圧Ｖｅ１に保ち、走査電極ＳＣ１〜ＳＣｎに電圧Ｖｉ３から電圧Ｖｉ４に向かって緩やかに下降するランプ電圧を印加する。すると、全ての放電セルにおいて再び微弱な初期化放電を起こし、走査電極ＳＣ１〜ＳＣｎと維持電極ＳＵ１〜ＳＵｎとの間の壁電圧が弱められ、データ電極Ｄ１〜Ｄｍ上の壁電圧が書込み動作に適した値に調整される。このように、第１ＳＦの初期化期間においては全セル初期化動作を行う。
【００２２】
第１ＳＦの書込み期間では、一旦走査電極ＳＣ１〜ＳＣｎに電圧Ｖｃを印加し維持電極ＳＵ１〜ＳＵｎに電圧Ｖｅ２を印加する。そして、１行目の走査電極ＳＣ１に負の走査パルス電圧Ｖａを印加するとともに、データ電極Ｄ１〜Ｄｍのうち１行目に発光すべき放電セルのデータ電極Ｄｋ（ｋ＝１〜ｍ）に正の書込みパルス電圧Ｖｄを印加する。すると、データ電極Ｄｋと走査電極ＳＣ１との間および維持電極ＳＵ１と走査電極ＳＣ１との間に書込み放電が起こり、この放電セルの走査電極ＳＣ１上に正の壁電圧、維持電極ＳＵ１上に負の壁電圧が蓄積される。このようにして、１行目に発光すべき放電セルで書込み放電を起こして各電極上に壁電圧を蓄積する書込み動作が行われる。一方、書込みパルス電圧Ｖｄを印加しなかったデータ電極Ｄｈ（ｈ≠ｋ）と走査電極ＳＣ１との交差部では書込み放電は発生しない。
【００２３】
次に、１行目の走査電極ＳＣ１を電圧Ｖｃに戻し、２行目の走査電極ＳＣ２に走査パルス電圧Ｖａを印加するとともに、データ電極Ｄ１〜Ｄｍのうち２行目に発光すべき放電セルのデータ電極Ｄｋに書込みパルス電圧Ｖｄを印加する。すると、２行目に発光すべき放電セルで書込み放電を起こして各電極上に壁電圧を蓄積する書込み動作が行われる。以上の書込み動作をｎ行目の放電セルに至るまで順次行い、書込み期間が終了する。
【００２４】
ここで、各走査電極ＳＣ１〜ＳＣｎに印加する走査パルスのそれぞれが時間的に重ならないように走査パルス波形のタイミングが設定されている。図６は本発明の実施の形態における走査パルス波形の詳細を示す駆動波形図であり、図６（ａ）はサブフィールド群に属さないサブフィールドの書込み期間における走査パルス波形の詳細を示す駆動波形図である。このようにｉ番目の走査電極ＳＣｉに印加する走査パルスとｉ＋１番目の走査電極ＳＣｉ＋１に印加する走査パルスとが時間的に重ならないように、走査パルスの間に時間Ｔ１の隙間を設けている。これについての詳細は後述するが、書込み期間において隣接する放電セルの書込み放電がクロストークして正常な書込み放電ができなくなり、正常な画像表示ができなくなることを防ぐためである。本実施の形態においてはＴ１＝０．１μｓと設定したが、走査パルスのそれぞれがお互いに重ならなければよく、例えばＴ１＝０であってもよい。
【００２５】
続く第１ＳＦの維持期間では、維持電極ＳＵ１〜ＳＵｎを０Ｖに戻し、走査電極ＳＣ１〜ＳＣｎに維持パルス電圧Ｖｓを印加する。このとき書込み放電を起こした放電セルにおいては、走査電極ＳＣｉ上と維持電極ＳＵｉ上との間の電圧は維持パルス電圧Ｖｓに走査電極ＳＣｉ上および維持電極ＳＵｉ上の壁電圧の大きさが加算されたものとなり放電開始電圧を超える。そして、走査電極ＳＣｉと維持電極ＳＵｉとの間に維持放電が起こり発光する。このとき走査電極ＳＣｉ上に負の壁電圧が蓄積され、維持電極ＳＵｉ上に正の壁電圧が蓄積される。続いて走査電極ＳＣ１〜ＳＣｎを０Ｖに戻し、維持電極ＳＵ１〜ＳＵｎに維持パルス電圧Ｖｓを印加する。すると、維持放電を起こした放電セルでは、維持電極ＳＵｉ上と走査電極ＳＣｉ上との間の電圧が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに、輝度重みに比例した数の維持パルスを印加することにより、書込み期間において書込み放電を起こした放電セルでは維持放電が継続して行われる。なお、書込み期間において書込み放電が起きなかった放電セルでは維持放電は発生せず、初期化期間の終了時における壁電圧が保持される。こうして維持期間における維持動作が終了する。
【００２６】
続く第２ＳＦの初期化期間では、維持電極ＳＵ１〜ＳＵｎを電圧Ｖｅ１に、データ電極Ｄ１〜Ｄｍを０Ｖにそれぞれ保持し、走査電極ＳＣ１〜ＳＣｎに電圧Ｖｉ３’から電圧Ｖｉ４に向かって緩やかに下降するランプ電圧を印加する。すると前のサブフィールドの維持期間で維持放電を行った放電セルでは微弱な初期化放電が発生し、走査電極ＳＣｉ上および維持電極ＳＵｉ上の壁電圧が弱められるとともにデータ電極Ｄｋ上の壁電圧も書込み動作に適した壁電圧に調整される。一方、前のサブフィールドで書込み放電および維持放電を行わなかった放電セルについては初期化放電が発生しない。このように、第２ＳＦの初期化期間においては選択初期化動作を行う。
【００２７】
続く第２ＳＦの書込み期間では第１ＳＦと同様の動作を行い、維持期間では維持パルス数を除いて第１ＳＦと同様の動作を行う。また第３ＳＦ〜第５ＳＦにおいても、維持期間における維持パルス数を除いて第２ＳＦと同様の動作を行うため詳細な説明は省略する。
【００２８】
次にサブフィールド群を構成する第６ＳＦ〜第１２ＳＦにおける駆動について説明する。
【００２９】
第６ＳＦの初期化期間は第２ＳＦの初期化期間と同様である。すなわち、維持電極ＳＵ１〜ＳＵｎを正の電圧Ｖｅ１に保ち、走査電極ＳＣ１〜ＳＣｎに電圧Ｖｉ３’から電圧Ｖｉ４に向かって緩やかに下降するランプ電圧を印加する。すると直前のサブフィールドで維持放電を発生した放電セルにおいて初期化放電を起こし、走査電極ＳＣ１〜ＳＣｎ、維持電極ＳＵ１〜ＳＵｎおよびデータ電極Ｄ１〜Ｄｍ上の壁電圧が書込み動作に適した値に調整される。
【００３０】
第６ＳＦの書込み期間では、一旦走査電極ＳＣ１〜ＳＣｎに電圧Ｖｃを印加し維持電極ＳＵ１〜ＳＵｎに電圧Ｖｅ２を印加する。そして、１行目の走査電極ＳＣ１に負の走査パルス電圧Ｖａを印加するとともに、データ電極Ｄ１〜Ｄｍのうち１行目に発光すべき放電セルのデータ電極Ｄｋ（ｋ＝１〜ｍ）に正の書込みパルス電圧Ｖｄを印加する。すると、データ電極Ｄｋと走査電極ＳＣ１との間および維持電極ＳＵ１と走査電極ＳＣ１との間に書込み放電が起こり各電極上に壁電圧を蓄積する書込み動作が行われる。一方、書込みパルス電圧Ｖｄを印加しなかったデータ電極Ｄｈと走査電極ＳＣ１との交差部では書込み放電は発生しない。
【００３１】
次に、１行目の走査電極ＳＣ１を電圧Ｖｃに戻す前に、２行目の走査電極ＳＣ２に走査パルス電圧Ｖａを印加するとともに、データ電極Ｄ１〜Ｄｍのうち２行目に発光すべき放電セルのデータ電極Ｄｋに書込みパルス電圧Ｖｄを印加する。そしてその後、１行目の走査電極ＳＣ１を電圧Ｖｃに戻す。すると、２行目に発光すべき放電セルで書込み放電を起こして各電極上に壁電圧を蓄積する書込み動作が行われる。以上の書込み動作をｎ行目の放電セルに至るまで順次行い、書込み期間が終了する。
【００３２】
ここで第１ＳＦの書込み期間の動作が第１ＳＦ〜第５ＳＦにおける書込み期間の動作と異なるところは、各走査電極ＳＣ１〜ＳＣｎに順次印加されるそれぞれの走査パルスの一部が他の走査パルスの一部と時間的に重なるように走査パルス波形のタイミングが設定されているところである。図６（ｂ）はサブフィールド群に属するサブフィールドの書込み期間における走査パルスの詳細を示す駆動波形図である。このように、ｉ−１番目の走査電極ＳＣｉ−１に印加する走査パルスとｉ番目の走査電極ＳＣｉに印加する走査パルスとが時間Ｔ２の間重なるように、ｉ番目の走査電極ＳＣｉに印加する走査パルスとｉ＋１番目の走査電極ＳＣｉ＋１に印加する走査パルスとが時間Ｔ２の間重なるように設定されている。このように各走査電極ＳＣ１〜ＳＣｎに順次印加される走査パルスの一部を時間的に重ねることにより書込み時間を短縮することができる。なお詳細は後述するが、連続点灯制御するサブフィールド群においては走査パルスの一部を重ねても書込み期間において隣接する放電セルの書込み放電がクロストークすることはない。
【００３３】
続く第６ＳＦの維持期間では、第１ＳＦの初期化期間と同様に、走査電極ＳＣ１〜ＳＣｎと維持電極ＳＵ１〜ＳＵｎとに、輝度重みに比例した数の維持パルスを交互に印加することにより、書込み期間において書込み放電を起こした放電セルでは維持放電が継続して行われる。なお、書込み期間において書込み放電が起きなかった放電セルでは維持放電は発生せず、初期化期間の終了時における壁電圧が保持される。こうして維持期間における維持動作が終了する。
【００３４】
第７ＳＦの初期化期間は第６ＳＦの初期化期間と同様であるため説明を省略する。
【００３５】
続く第７ＳＦの書込み期間では、第６ＳＦの書込み期間と同様に、各走査電極ＳＣ１〜ＳＣｎに順次印加される走査パルスの一部が重なるように走査パルス波形のタイミングが設定されている。すなわち図６（ｂ）に示したように、ｉ番目の走査電極ＳＣｉに印加する走査パルスとｉ＋１番目の走査電極ＳＣｉ＋１に印加する走査パルスとが時間Ｔ２の間重なるように設定されており、書込み時間を短縮している。
【００３６】
なお、第７ＳＦはサブフィールド群に属するサブフィールドであるから、書込み放電を行う放電セルは直前のサブフィールド、すなわち第６ＳＦにおいても書込み放電を行った放電セルに限られる。言い換えれば、第６ＳＦにおいて書込み放電を起こさなかった放電セルでは書込み放電を起こさない。
【００３７】
続く第７ＳＦの維持期間では、第６ＳＦの維持期間と同様に、走査電極ＳＣ１〜ＳＣｎと維持電極ＳＵ１〜ＳＵｎとに、輝度重みに比例した数の維持パルスを交互に印加する。すると、第７ＳＦの書込み期間において書込み放電を起こした放電セルでは走査電極ＳＣｉと維持電極ＳＵｉとの間に維持放電が起こり発光する。
【００３８】
続く第８ＳＦ〜第１２ＳＦにおいても第７ＳＦと同様の動作を行う。特に書込み期間においては、各走査電極ＳＣ１〜ＳＣｎに順次印加される走査パルスの一部が重なるように走査パルス波形のタイミングが設定されている。また、書込み放電を行う放電セルは直前のサブフィールドにおいても書込み放電を行った放電セルに限られる。その結果、第６ＳＦ〜第１２ＳＦの連続発光サブフィールド群においては、一旦非発光となるように制御された放電セルはその後、サブフィールド群の最後のサブフィールドまで連続して発光させないように制御することになる。
【００３９】
そして次のフィールドの第１ＳＦの初期化期間は、サブフィールド群に属さないサブフィールドのうちサブフィールド群に続くサブフィールドである。この条件を満たすサブフィールドの初期化期間においては、上述したように全セル初期化動作を行う。
【００４０】
次に、サブフィールド群に属さないサブフィールドの書込み期間においては、走査パルスのそれぞれが時間的に重ならないように設定し、サブフィールド群に属するサブフィールドの書込み期間においては、それぞれの走査パルスの一部が他の走査パルスの一部と時間的に重なるように設定した理由について説明する。
【００４１】
まず、書込み動作時に発生することのあるクロストークについて説明する。クロストークは、あるサブフィールドで書込み放電が発生せずかつ隣接する放電セルで書込み放電があった放電セルが、続くサブフィールドの書込み期間において書込み放電ができなくなる現象である。その発生メカニズムについてはまだよくわからないところが多いが、次のように考えることができる。書込み期間において直前に走査パルスを印加されて書込み放電を行った隣接放電セルから飛来した荷電粒子がデータ電極と走査電極との間の壁電圧を中和する。その結果、続くサブフィールドの書込み期間において壁電圧が不足して書込み不良を起こすものと考えることができる。そして壁電圧の中和は放電空間に電界が掛かった状態で発生するので、クロストークを防止するためには荷電粒子が飛来する間は放電空間に電界を掛けない、すなわち書込み放電に対しては走査パルスを印加しなければよい。
【００４２】
本実施の形態においてはサブフィールド群に属さない第１ＳＦ〜第５ＳＦの書込み期間のクロストークを抑えるために、各走査電極ＳＣ１〜ＳＣｎに印加する走査パルスのそれぞれは、互いに重ならないように走査パルス波形のタイミングが設定されている。一方、サブフィールド群に属する第６ＳＦ〜第１２ＳＦにおいては、一旦非発光となるように制御された放電セルで書込み放電のための壁電圧の不足が発生しても、サブフィールド群の最後のサブフィールドまで連続して発光させないのでクロストークの発生する機会がない。したがって、各走査電極ＳＣ１〜ＳＣｎに順次印加される走査パルスの一部が重なるように走査パルス波形のタイミングを設定して、書込み時間を短縮している。
【００４３】
ただし、走査パルスの一部を重ねる時間が長すぎると、書込みを行わない放電セルで書込み放電が発生するという誤動作が発生することがある。実験的にはＴ２＞０．４μｓに設定するとこの誤動作が発生した。したがって、走査パルスの一部を重ねる時間Ｔ２は０．４μｓ以下に設定することが望ましい。本実施の形態においては、Ｔ２＝０．２μｓ、順次印加される走査パルスの数＝３８４であるので、１サブフィールドの書込み期間を０．２μｓ×３８４ｌｉｎｅ＝７６．８μｓ短縮することができる。そして連続発光サブフィールド群が７つのサブフィールドで構成されているため、１フィールドあたり７６．８μｓ×７ＳＦ＝５３７．６μｓの書込み時間短縮が可能となった。
【００４４】
なお、本実施の形態においては、第１ＳＦの初期化期間では全セル初期化動作を行い、それ以外のサブフィールドの初期化期間では選択初期化動作を行うものとして説明したが、第２ＳＦ〜第１２ＳＦの初期化期間でも必要に応じて全セル初期化動作を行うことができる。例えば連続発光サブフィールド群の先頭のサブフィールドの初期化動作を全セル初期化動作としてもよい。ただし、サブフィールド群に属さないサブフィールドのうちサブフィールド群に続くサブフィールドでは書込み時にクロストークを発生する可能性があるので、この場合には初期化期間において全セル初期化動作を行うことが望ましい。
【００４５】
また、本発明の実施の形態においては、１フィールドを構成する複数のサブフィールドのうち、後半のサブフィールドである第６ＳＦ〜第１２ＳＦがサブフィールド群を構成するものとして説明したが、本発明はサブフィールド群を構成するサブフィールドが上記に限定されるものではない。例えば、１フィールドを１４のサブフィールド（第１ＳＦ、第２ＳＦ、・・・、第１４ＳＦ）に分割し、各サブフィールドの輝度重みがそれぞれ（１、２、４、８、１６、３２、３２、４、８、１６、３２、３２、３２、３２）であって、第５ＳＦと第６ＳＦが第１のサブフィールド群を構成し、第１１ＳＦ〜第１４ＳＦが第２のサブフィールド群を構成している場合であっても本発明を適用することができる。この場合には、サブフィールド群に属さないサブフィールドのうちサブフィールド群に続くサブフィールド、すなわち第１ＳＦと第７ＳＦとの初期化期間において全セル初期化動作を行うことが望ましい。
【産業上の利用可能性】
【００４６】
本発明は、画像表示品質を低下させることなく書込み時間を短縮し、擬似輪郭の発生し難い画像表示を可能とすることができるので、パネルの駆動方法として有用である。
【図面の簡単な説明】
【００４７】
【図１】本発明の実施の形態に用いるパネルの要部を示す分解斜視図
【図２】同パネルの電極配列図
【図３】同パネルの駆動方法を実施するプラズマディスプレイ装置の回路ブロック図
【図４】本発明の実施の形態に用いるコーディングを示す図
【図５】本発明の実施の形態に用いるパネルの各電極に印加する駆動電圧波形を示す図
【図６】同パネルの走査電極に印加する走査パルスの詳細を示す駆動波形図
【符号の説明】
【００４８】
１０    パネル
２２    走査電極
２３    維持電極
３２    データ電極
５１    画像信号処理回路
５２    データ電極駆動回路
５３    走査電極駆動回路
５４    維持電極駆動回路
５５    タイミング発生回路
【図１】
0004765499.tif 000002
【図２】
0004765499.tif 000003
【図３】
0004765499.tif 000004
【図４】
0004765499.tif 000005
【図５】
0004765499.tif 000006
【図６】
0004765499.tif 000007